(57)【要約】【課題】  二軸ヒンジ装置の回動部を支持する水平軸に干渉することなく、垂直クリック機構の係入部材を高い押圧力で押圧して回動部を垂直軸に対して確実に所定位置に保持することができるようにすること。【解決手段】  垂直クリック機構８０Ｖは、回動部７０に保持され垂直軸６０の係入凹部６Ｒに係入して回動部７０を垂直軸６０に位置保持する係入部材８５と、この係入部材８５を垂直軸６０の係入凹部６３Ｒに係入するように係入部材８５を押圧付勢するコイルばね８３とから成り、係入部材８５は、水平軸５０の内端よりも内側に配置されたホルダー８６に保持され、ばね受け８３Ｒとホルダー８６との間には、水平軸５０の内端を支持する支持部分７１Ｖ１を摺動自在に貫通しばね受け８３Ｒによって押される貫通部８７を有し、水平軸５０を回避してホルダー８６を押圧するようにする。【選択図】図８
2010196738.tif 000002
【特許請求の範囲】
【請求項１】
第１部材と第２部材とを折り畳み自在に支持するものであって、前記第１部材及び第２部材にそれぞれ取り付けられるべき第１取り付け部材及び第２取り付け部材と、前記第１取り付け部材と前記第２の取り付け部材とを水平軸線を有する水平軸と前記水平軸線に直交する垂直軸線を有する垂直軸とに回動自在に支持する回動部と、前記回動部を前記水平軸及び垂直軸に対してそれぞれ位置保持する水平クリック機構と垂直クリック機構とを備え、前記垂直クリック機構は、前記回動部に保持され前記垂直軸の係入凹部に係入して前記回動部を前記垂直軸に位置保持する係入部材と、前記係入部材を前記垂直軸の係入凹部に係入するように前記係入部材を押圧付勢するコイルばねとから成っている二軸ヒンジ装置において、前記垂直クリック機構の前記係入部材は、前記水平軸の内端よりも内側に配置されて前記回動部に摺動自在に支持されたホルダーに保持され、前記コイルばねのばね受けと前記ホルダーとの間には、前記水平軸の内端と前記ホルダーとの間で前記回動部内に摺動自在に配置され且つ前記水平軸の内端を支持する支持部分を摺動自在に貫通し前記コイルばねのばね受けによって押される貫通部を有することを特徴とする二軸ヒンジ装置。
【請求項２】
請求項１に記載の１の二軸ヒンジ装置であって、前記回動部は、逆Ｕ字形のブラケットと前記ブラケットの一方の垂直片に取り付けられた円筒部材とを有し、前記水平軸と前記コイルばねとは、前記円筒部材内に配置され、前記水平軸の内端の支持部分は、前記ブラケットの前記一方の垂直片であり、前記貫通部は、前記一方の垂直片を貫通していることを特徴とする二軸ヒンジ装置。
【請求項３】
請求項１又は２に記載の１の二軸ヒンジ装置であって、前記貫通部は、前記ばね受けに一体に形成されていることを特徴とする二軸ヒンジ装置。
【請求項４】
請求項１又は２に記載の１の二軸ヒンジ装置であって、前記貫通部は、前記ホルダーに一体に形成されていることを特徴とする二軸ヒンジ装置。
【請求項５】
請求項１又は２に記載の１の二軸ヒンジ装置であって、前記貫通部は、前記ばね受け及び前記ホルダーとは別体で前記ばね受けと前記保持部材との間に配置されていることを特徴とする二軸ヒンジ装置。
【発明の詳細な説明】
【技術分野】
【０００１】
本発明は、例えば、携帯電話の如き折り畳み機器に用いられ、相互に直交する水平軸線と垂直軸線とを有し、これらの軸線を中心に折り畳み機器の２つの部材を相互に枢動自在に支持する二軸ヒンジ装置の改良に関するものである。
【背景技術】
【０００２】
この種の二軸ヒンジ装置の一例が、特許文献１（ＷＯ２００７／０５５１７４号）に開示されている。この二軸ヒンジ装置は、折り畳み機器の一方の部材（第１部材）に取り付けられるべきヒンジ本体１１（第１取り付け部材）に支持された主軸（垂直軸）１１Ｂに回転自在に支持された回動部材１２（回動部）と、この回動部材１２に対して主軸１１Ｂの軸線（垂直軸線）Ｌ１に直角の方向の軸線（水平軸線）Ｌ２に配置された軸杆（水平軸）１５を介して水平軸線Ｌ２を中心に回転自在に支持された２つの連結部材１３、１４（第２の取り付け部材）とから成り、２つの連結部材１３、１４は、折り畳み機器の他方の部材（第２部材）に取り付けられる。
【０００３】
この二軸ヒンジ装置は、回動部材１２をヒンジ本体１１の主軸１１Ｂに対して位置保持する垂直クリック機構６０と回動部材１２を一方の連結部材１３に対して位置保持する水平クリック機構７０とを更に備えている。垂直クリック機構６０は、回動部材１２に保持されヒンジ本体１１の主軸１１Ｂの係入凹部（係合溝）６６に係入して回動部材１２をヒンジ本体１１に位置保持する係入部材（球体）６２と、この係入部材（球体）６２を主軸１１Ｂの係入凹部６６に係入するように押圧部材（ばね受けとして作用する座金６５とピン６３）を介して係入部材（球体）６２を押圧付勢するコイルばね６４とを含んでいる。
【０００４】
この従来技術の装置に使用される垂直クリック機構は、特許文献１の図８に示すように、水平軸線Ｌ２を有する軸杆（水平軸）１５に干渉しないように、係入部材（球体）６２を軸杆１５を避けて回動部材の筒部１２ｂの下方位置に配置されている。しかし、ばね受けである座金６５は、水平軸線Ｌ２に直角ではなく斜めに傾く傾向があるため、係入部材（球体）６２を押圧するピン６３の押圧力が小さくなり、垂直クリック機構は、回動部材１２と主軸１１Ｂとの間の位置保持力が小さく、回動部材１２を主軸１１Ｂに確実に位置保持することができない欠点があった。
【先行技術文献】
【特許文献】
【０００５】
【特許文献１】ＷＯ２００７／０５５１７４号
【発明の概要】
【発明が解決しようとする課題】
【０００６】
本発明が解決しようとする課題は、水平軸線を中心に回動するように回動部を支持する水平軸に干渉することなく、垂直クリック機構の係入部材を高い押圧力で押圧して回動部を垂直軸に対して確実に所定位置に保持することができる二軸ヒンジ装置を提供することにある。
【課題を解決するための手段】
【０００７】
本発明の課題解決手段は、第１部材と第２部材とを折り畳み自在に支持するものであって、これらの第１部材及び第２部材にそれぞれ取り付けられるべき第１取り付け部材及び第２取り付け部材と、これらの第１取り付け部材と前記第２の取り付け部材とを水平軸線を有する水平軸とこの水平軸線に直交する垂直軸線を有する垂直軸とに回動自在に支持する回動部と、この回動部を水平軸及び垂直軸に対してそれぞれ位置保持する水平クリック機構と垂直クリック機構とを備え、垂直クリック機構は、回動部に保持され垂直軸の外面係入凹部に係入して回動部を垂直軸に位置保持する係入部材と、この係入部材を垂直軸の外面係入凹部に係入するように係入部材を押圧付勢するコイルばねとから成っている二軸ヒンジ装置において、垂直クリック機構の係入部材は、水平軸の内端よりも内側に配置されて回動部に摺動自在に支持されたホルダーに保持され、コイルばねのばね受けと係入部材との間には、水平軸の内端と係入部材との間で回動部内に摺動自在に配置され且つ水平軸の内端を支持する支持部分を摺動自在に貫通しコイルばねのばね受けによって押される貫通部を有することを特徴とする二軸ヒンジ装置を提供することにある。
【０００８】
本発明の課題解決手段において、回動部は、逆Ｕ字形のブラケットとこのブラケットの一方の垂直片に取り付けられた円筒部材とを有し、水平軸とコイルばねとは、この円筒部材内に配置され、水平軸の内端の支持部分は、このブラケットの一方の垂直片であり、貫通部は、この一方の垂直片を貫通している形態とすることができる。
【０００９】
また、本発明の課題解決手段において、貫通部は、ばね受けに一体に形成されていてもよいし、ホルダーに一体に形成されていてもよいし、ばね受け及びホルダーとは別体でばね受けと押圧部材との間に配置されていてもよい。
【発明の効果】
【００１０】
本発明によれば、二軸ヒンジ装置の第１及び第２取り付け部材を垂直軸に対して位置保持する垂直クリック機構は、係入部材を水平軸の内端よりも内側に配置されたホルダーに保持され、コイルばねからの押圧力を水平軸の支持部分を摺動自在に貫通する貫通部を介してホルダーに伝達するので、コイルばねの押圧力は片寄ることなくホルダーの全面に平行に印加され、従ってこのホルダーに保持されている係入部材を高い押圧力で垂直軸の外面係入凹部に係入することができ、回動部を垂直軸に確実に位置保持することができる。
【図面の簡単な説明】
【００１１】
【図１】図１は、本発明の二軸ヒンジ装置が用いられた携帯電話の如き折り畳み機器の第１の使用状態を示し、同図（Ａ）は、機器の折り畳み状態（閉成状態）の斜視図、同図（Ｂ）は、途中までの開き状態の斜視図である。
【図２】図２は、図１の折り畳み機器の首振り使用状態を示し、同図（Ａ）は、途中まで首振りした状態の斜視図、同図（Ｂ）は、最終位置まで首振りした状態の斜視図、同図（Ｃ）は、同図（Ｂ）の状態から折り畳んだ状態の斜視図である。
【図３】図３は、本発明の二軸ヒンジ装置を用いた折り畳み機器の左上から俯瞰した分解斜視図である。
【図４】図４は、本発明の二軸ヒンジ装置を用いた折り畳み機器の左下から俯瞰した分解斜視図である。
【図５】図５は、本発明の二軸ヒンジ装置の全体を示し、同図（Ａ）は、その正面図、同図（Ｂ）はその上面図、同図（Ｃ）は、その下面図、同図（Ｄ）は、その右側面図、同図（Ｅ）は、その左側面図である。
【図６】図６は、同様に、本発明の二軸ヒンジ装置の全体を示し、同図（Ａ）は、その右上から俯瞰した斜視図、同図（Ｂ）はその右下から俯瞰した斜視図である。
【図７】図７は、図５（Ｂ）の７-７線拡大断面図である。
【図８】図８は、図５（Ａ）の８−８線拡大断面図である。
【図９】図９は、本発明の二軸ヒンジ装置の分解斜視図である。
【図１０】図１０は、本発明の二軸ヒンジ装置の垂直クリック機構のみを分解して示し、同図（Ａ）は、その正面図、同図（Ｂ）は、同図（Ａ）の１０ＢＡ−１０Ｂ線断面図である。
【発明を実施するための形態】
【００１２】
本発明の１つの実施の形態を図面を参照して詳細に述べると、図１及び図２は、本発明の二軸ヒンジ装置２０を備えた折り畳み機器、例えば、携帯電話１０を示し、この携帯電話１０は、送話部筐体である第１部材１２と受話部筐体である第２部材１４とから成っており、これらの第１と第２の部材１２、１４は、本発明の二軸ヒンジ装置２０によって、第１軸線（水平軸線）Ｌ５０を中心に相互に回動して両部材１２、１４を開いたり（図２（Ｂ）参照）、第２軸線（垂直軸線）Ｌ６０を中心に相互に回動して両部材１２、１４の内外の面を相互に角度変位（首振り）したりすることができる。従って、図１（Ａ）のように、両部材１２、１４が内面を相互に突き合わせる閉じた状態や、図１（Ｂ）のように、両部材１２、１４が内面を直角又はそれ以上の角度（最大で１８０度）に開いた状態や、図２（Ａ）、図２（Ｂ）の状態を経て、図２（Ｃ）のように、第２部材１４の内面を外側にして折り畳んだ状態にすることができる。なお、第１部材１２の内面には各種の機能ボタン１２Ｆや図示しないマイクロフォンを有し、また第２部材１４の内面には液晶ディスプレイ１４Ｄや図示しないスピーカを有する。-
【００１３】
二軸ヒンジ装置２０は、図３乃至図６に示すように、ヒンジ装置２０を第１部材１２に取り付けるべき第１取付け部材３０と、ヒンジ装置２０を第２部材１４に取り付けるべき第２取付け部材４０とを備えている。
【００１４】
第１取付け部材３０は、左右１対の取付け片３２Ｌ、３２Ｒを有し、これらの取付け片３２Ｌ、３２Ｒは、図３及び図４に示すように、第１部材１２の筐体１２Ｂと裏蓋１２Ｃとの間に挟まれて筐体１２Ｂと裏蓋１２Ｃとを固定する止めねじ１２Ｓによって第１部材１２に取り付けられ、また第２取付け部材４０も、同様にして、左右１対の取付け片４２Ｌ、４２Ｒを有し、これらの取付け片４２Ｌ、４２Ｒは、図３及び図４に示すように、筐体１４Ｂと裏蓋１４Ｃとの間に挟まれて筐体１４Ｂと裏蓋１４Ｃとを固定する止めねじ１４Ｓによって第２部材１４に取り付けられている。
【００１５】
ヒンジ装置２０は、第１取付け部材３０と第２の取付け部材４０とを水平軸線（第１軸線）Ｌ５０を有する水平軸５０とこの水平軸線Ｌ５０に直交する垂直軸線（第２軸線）Ｌ６０を有する垂直軸６０とに回動自在に支持する回動部７０を備えている。この回動部７０は、図７乃至図９に示すように、逆Ｕ字形のブラケット７１と、このブラケット７１の一方の垂直片７１Ｖ１に固定して取り付けられた円筒部材７２と、ブラケット７１の他方の垂直片７１Ｖ２に回動自在に支持された短筒軸部材７３と、ブラケット７１の水平部７１Ｈの下面で円筒部材７２側に対向して取り付けられて後に述べる垂直クリック機構のホルダーを摺動自在に保持する保持筒７４と、ブラケット７１の水平片７１Ｈの下面で短筒軸部材７３側に対向して取り付けられて後に述べるように垂直軸６０を保持する保持板７５とから成っている。
【００１６】
水平軸５０の一端は、図７及び図８に示すように、第１取り付け部材３０の右側の取付けブラケット３２Ｒの起立片３４Ｒにかしめ着され、他端は、ブラケット７１の垂直片（支持部分）７１Ｖ１に相対的に回動自在に支持され、この他端の先端にはブラケット７１からの抜け止め用の鍔５２を有する。ブラケット７１の他方の垂直片７１Ｖ２に保持された短筒軸部材７３は、スペーサ筒７３Ｓを介して第１取り付け部材３０の左側の取付けブラケット３２Ｌの起立片３４Ｌにかしめ着されている。従って、回動部７０は、水平軸５０と短筒軸部材７３とによって水平軸線Ｌ５０を中心に回動して第１部材である送話部筐体１２に対して第２部材である受話部筐体１４を図１に示すように開閉することができる。なお、図７乃至図９において符号５４は、水平軸５０の鍔５２とブラケット７１の垂直片７１Ｖ１の内側との間に配置されたワッシャーである。
【００１７】
垂直軸６０は、図８に示すように、中空軸部材から成っており、この垂直軸６０は、スペーサ筒６１を介してブラケット７１の水平部７１Ｈと第２取り付け部材４０の中央部分との間に配置され、この垂直軸６０の上端は、その角周面６０ＵＡが第２取り付け部材４０の中央部分の角孔面に係合するようにこの角孔４０Ｈを貫通してかしめ着部６０Ｐで第２取り付け部材４０に固定され、また、垂直軸６０の下端は、ブラケット７１の水平部７１Ｈの中央貫通孔７１ＨＨ１を回動自在に貫通し、更にその角周面６０ＬＡを保持板７５の角孔リング７５Ｒ及び角孔支持リング６３を貫通し、この支持リング６３にかしめ着部６３Ｐで支持リング６３に固定している。従って、第２取り付け部材４０は、垂直軸６０と共に回動部７０のブラケット７１の水平部７１Ｈの中央貫通孔７１ＨＨ１のまわりを回動して第２部材１４を垂直軸６０の軸線（垂直軸線）Ｌ６０を中心にして図２に示すように第１部材１３に対して首振りすることができる。なお、図７及び図９において符号６２は、支持板７５の角孔リング７５Ｒとブラケット７１の水平部７１Ｈの下面との間に配置されたワッシャーである。
【００１８】
スペーサ筒６１は、筒状部の下端に左右の水平片部６１Ｆ１、６１Ｆ２を有し、一方の水平片部６１Ｆ１は、図７に示すように、保持筒７４の縦孔７４Ｈ及びブラケット７１の水平部７１Ｈの貫通孔７１ＨＨ２を貫通する鍔７４ＰＦ付き止めピン７４Ｐの上端が貫通する孔６１Ｈ１を有し、この止めピン７４Ｐは、その上端を孔６１Ｈ１にかしめるかしめ着部７４ＰＰと下端の鍔７４ＰＦとで挟むようにしてブラケット７１とスペーサ筒６１及び保持筒７４とを一体に保持し、また他方の水平片部６１Ｆ２は、保持板７５の貫通孔７５Ｈ及びブラケット７１の水平部７１Ｈの貫通孔７１ＨＨ３を貫通する鍔７６ＰＦ付き止めピン７６Ｐの上端が貫通する孔６１Ｈ２を有し、この止めピン７６Ｐは、その上端を孔６１Ｈ２にかしめるかしめ着部７６ＰＰと下端の鍔７６ＰＦとで挟むようにしてブラケット７１とスペーサ筒６１及び保持板７５とを一体に保持している。
【００１９】
二軸ヒンジ装置２０は、更に、回動部７０を水平軸５０及び垂直軸６０に対してそれぞれ位置保持する水平クリック機構８０Ｈと垂直クリック機構８０Ｖとを備えている。
【００２０】
水平クリック機構８０Ｈは、図８及び図９に示すように、回動部７０の円筒部材７２の外端付近に回転阻止状態で嵌め込まれて２つの球状係入部材８１を保持するホルダー８２とこのホルダー８２を押圧するように円筒部材７２内に配置されたコイルばね８３とから成り、第１取り付け部材３０の右側の取付けブラケット３２Ｒの起立片３４Ｒには回動部７０の所定開閉角度で球状係入部材８１が係入する少なくとも２つ以上の係入凹部８４が設けられている。
【００２１】
従って、第１部材１２と第２部材１４とが折り畳まれた閉成位置（図１（Ａ）参照）と第１部材１３と第２部材１４とがほぼ１８０度開いた開放位置（図１（Ｂ）より更に９０度開いて両部材１２、１４がほぼ水平状態となる位置）とで２つの球状係入部材８１が取付けブラケット３２Ｒの起立片３４Ｒの相応する係入凹部８４に切り替え係入してこれらの位置を保持することができる。
【００２２】
垂直クリック機構８０Ｖは、垂直軸６０の下端に固定された支持リング６３（垂直軸６０の端部構成部品）の外周面に１８０度間隔で設けられた２つの外面係入凹部６３Ｒに係入して回動部７０を垂直軸６０に位置保持する１つの球状係入部材８５と、保持筒７４内に軸線Ｌ５０方向に摺動自在に保持されて係入部材８５を保持するホルダー８６とから成っている。従って、係入部材８５及びそのホルダー８６は、水平軸５０の内端（鍔５２を有する端部）よりも内側に配置されていることが解る。水平クリック機構８０Ｈと共有するコイルばね８３が以下に述べる貫通部を介してこのホルダー８６を押圧して係入部材８５を垂直軸６０のいずれかの外面係入凹部６３Ｒに係入するように付勢されている。このホルダー８６とコイルばね８３のばね受け８３Ｒとの間には、水平軸５０の内端とホルダー８６との間で筒状部材７２内に摺動自在に配置され且つ水平軸５０の内端を支持する支持部分（ブラケット７１の垂直片７１Ｖ１）の溝７１Ｇを摺動自在に貫通しコイルばね８３のばね受け８３Ｒによって押される２つの貫通部８７を有する。図示の形態では、この貫通部８７は、図７乃至図９に示すように、ばね受け８３Ｒに一体に設けられている。
【００２３】
従って、第１部材１３と第２部材１４との閉成位置（図１（Ａ）参照ｕ）と、第１部材１３及び第２部材１４が部分的に開いた位置（図１（Ｂ）参照）から第２部材１４を垂直軸６０の軸線を中心に１８０度回動した首振り位置（図２（Ａ）より更に９０度回動して両部材１３，１４の内外面が反転した図２（Ｂ）、図２（Ｃ）の位置）とで球状係入部材８５が垂直軸６０の相応する係入凹部６３Ｒ（２つの係入凹部のいずれか）に切り替え係入してこれらの位置を保持することができる。
【００２４】
注目すべきことは、回動部７０を垂直軸６０に対して位置保持する垂直クリック機構８０Ｖは、係入部材８５及びそのホルダー８６を水平軸５０の内端よりも内側に配置し、コイルばね８３からの押圧力を水平軸５０の支持部分（ブラケット７１の垂直片７１Ｖ１）を摺動自在に貫通する貫通部８７を介してホルダー８６に伝達するので、コイルばね８３の押圧力は片寄ることなくホルダー８６の全面に平行に印加され、従ってこのホルダー８６に保持されている係入部材８５を高い押圧力で垂直軸６０の係入凹部６３Ｒに係入することができ、回動部７０を垂直軸６０に確実に位置保持することができることである。
【００２５】
上記実施の形態では、貫通部８７は、ばね受け８３Ｒに一体に形成されているが、ホルダー８６に一体に形成されていてもよいし、ばね受け８３Ｒ及びホルダー８６とは別体でばね受け８３Ｒとホルダー８６との間に配置されていてもよい。
【００２６】
また、上記実施の形態では、回動部７０が第１取り付け部材３０の取付けブラケット３２Ｒに支持された水平軸５０に回動自在に支持され、また第２取り付け部材４０が回動部７０に回動自在に支持された垂直軸６０に取り付けられている二軸ヒンジ装置に本発明を適用したが、特許文献１に示すように、第１取り付け部材に垂直軸を固定し、回動部をこの垂直軸に回動自在に支持し、また第２取り付け部材を回動部に水平軸を介して回動自在に取り付けた二軸ヒンジ装置にも本発明を適用することができる。
【産業上の利用可能性】
【００２７】
本発明によれば、二軸ヒンジ装置の垂直クリック機構の係入部材は、水平軸に干渉することなく、コイルばねからの押圧力を平行に受けて押圧されることができるので、係入部材を係入凹部に高い押圧力で係入して垂直クリック機能を確実に維持することができ、高い産業上の利用性を有する。
【符号の説明】
【００２８】
１０  携帯電話
１２  送話器筐体である第１部材
１２Ｆ  機能ボタン
１４  受話器筐体である第２部材
１４Ｄ  液晶ディスプイ
２０  二軸ヒンジ装置
Ｌ５  水平軸線
Ｌ６  垂直軸線
３０  第１取付け部材
４０  第２取付け部材
４０Ｈ  角孔
３２Ｌ、３２Ｒ  第１取り付け部材３０の１対の取付け片
１２Ｂ  筐体
１２Ｃ  裏蓋
１２Ｓ  止めねじ
４２Ｌ、４２Ｒ  第２取り付け部材４０の１対の取付け片
１４Ｂ  筐体
１４Ｃ  裏蓋
１４Ｓ  止めねじ
５０  水平軸
５４  ワッシャー
６０  垂直軸
６０ＵＡ、６０ＬＡ  垂直軸６０の上下の角周面
６０Ｐ  かしめ部
６１  スペーサ筒
６１Ｆ１、６１Ｆ２  スペーサ筒６１の左右の水平片部
６１Ｈ１、６１Ｈ２  孔
６２  ワッシャー
６３  角孔支持リング
６３Ｐ  かしめ着部
６３Ｒ  係入凹部
７０  回動部
７１  ブラケット
７１Ｈ  水平部
７１ＨＨ１  水平部７１Ｈの中央貫通孔
７１ＨＨ２、７１ＨＨ３  水平部７１Ｈの貫通孔
７１Ｖ１、７１Ｖ２  ブラケットの左右１対の垂直片
７１Ｇ  垂直片７１Ｖ１の溝
７２  円筒部材
７３  短筒軸部材
７３Ｓ  スペーサ筒
７４  保持筒
７４Ｈ  縦孔
７４Ｐ  止めピン
７４ＰＦ  止めピン７４Ｐの鍔
７４ＰＰ  かしめ着部
７５  保持板
７５Ｈ  貫通孔
７５Ｒ  角孔リング
７６Ｐ  止めピン
７６ＰＦ  止めピン７４Ｐの鍔
７６ＰＰ  かしめ着部
８０Ｈ  水平クリック機構
８０Ｖ  垂直クリック機構
８１  球状係入部材
８２  ホルダー
８３  コイルばね
８３Ｒ  ばね受け
８４  係入凹部
８５  球状係入部材
８６  ホルダー
８７  貫通部
【図１】
2010196738.tif 000003
【図２】
2010196738.tif 000004
【図３】
2010196738.tif 000005
【図４】
2010196738.tif 000006
【図５】
2010196738.tif 000007
【図６】
2010196738.tif 000008
【図７】
2010196738.tif 000009
【図８】
2010196738.tif 000010
【図９】
2010196738.tif 000011
【図１０】
2010196738.tif 000012